(57)【要約】      （修正有）【課題】枠体と絶縁基板との間の仮止めが強固であると共に、両者間の取付精度の良好な電子回路ユニットを提供する。【解決手段】枠体の側壁３に設けられた取付脚４の傾斜部４ｃを絶縁基板５の貫通孔５ａに挿入し、傾斜部４ｃを貫通孔５ａの縁に当接した状態で枠体を絶縁基板５側に押し込むことにより、傾斜部４ｃを貫通孔５ａの軸心に対して斜め方向に移動させることによって、傾斜部４ｃの一部を貫通孔５ａの内壁５ｃに食い込ませる。これにより傾斜部４ｃの一部が貫通孔５ａに対して斜め状態で食い込み（掛かり止め）して、枠体の上方への抜け防止が確実にできて、枠体と絶縁基板５との間の仮止めが強固であると共に、枠体と絶縁基板５との間のガタツキが無く、従って、リフローによる半田付けにおいても、枠体と絶縁基板５との間の取付精度の良好なものが得られる。【選択図】図２
2008226977.tif 000002
【特許請求の範囲】
【請求項１】
金属板からなり、四方を囲むように配置された側壁、及びこの側壁の開放端側から突出する取付脚とを有する箱形の枠体と、前記取付脚を挿入して前記枠体を取り付けるための貫通孔を有する絶縁基板とを備え、
前記取付脚は、根本部から先端部が前記側壁よりも外方、或いは内方に位置するように傾斜した傾斜部を有すると共に、前記根本部は、前記貫通孔の中心線からずれた位置に配置され、
前記傾斜部を前記貫通孔に挿入し、前記傾斜部を前記貫通孔の縁に当接した状態で前記枠体を前記絶縁基板側に押し込むことにより、前記傾斜部を前記貫通孔の軸心に対して斜め方向に移動させることによって、前記傾斜部の一部を前記貫通孔の内壁に食い込ませたことを特徴とする電子回路ユニット。
【請求項２】
前記取付脚が互いに対向する前記側壁にそれぞれ設けられたことを特徴とする請求項１記載の電子回路ユニット。
【請求項３】
前記取付脚の前記傾斜部は、直線状、或いは延びる方向に沿って湾曲したカール状で形成したことを特徴とする請求項１、又は２記載の電子回路ユニット。
【請求項４】
前記取付脚の前記先端部側が前記貫通孔の内壁に食い込むようにしたことを特徴とする請求項１から３の何れか１項に記載の電子回路ユニット。
【請求項５】
前記取付脚の幅方向の一方の側端部には、この側端部から幅方向に突出する凸部が設けられ、この凸部が前記貫通孔の内壁に食い込むようにしたことを特徴とする請求項１から４の何れか１項に記載の電子回路ユニット。
【発明の詳細な説明】
【技術分野】
【０００１】
本発明は、携帯電話機に使用される送受信ユニット等に適用して好適な電子回路ユニットに関するものである。
【背景技術】
【０００２】
図１０は従来の電子回路ユニットの分解斜視図、図１１は従来の電子回路ユニットに係り、取付脚と貫通孔との関係を示す説明図であり、次に、この図１０、図１１に示す従来の電子回路ユニットの構成を説明すると、金属板からなる枠体５１は、四方を囲むように配置された４つの側壁５２を有し、この側壁５２は、上、下部に設けられた開口部５２ａ、５２ｂと、下部の開放端側から下方に直線状に延びる複数個の取付脚５２ｃとを有する。
【０００３】
平板状の絶縁基板５３は、取付脚５２ｃを挿入するための複数個の貫通孔５３ａを有すると共に、この絶縁基板５３には、ここでは図示しないが、配線パターンが設けられると共に、電子部品が搭載されて、所望の電気回路が形成されている。
【０００４】
そして、絶縁基板５３への枠体５１の取付は、図１１に示すように、貫通孔５３ａへの挿入を容易にするために取付脚５２ｃが貫通孔５３ａにクリアランスＳを持って挿入され、取付脚５２ｃが配線パターンに半田付けされて、両者が取り付けられて、従来の電子回路ユニットが形成されている（例えば、特許文献１参照）。
【０００５】
また、この特許文献１には、図１２，図１３に示すような電子回路ユニットが開示されており、この図１２，図１３に示す従来の電子回路ユニットの構成を説明すると、取付脚５２ｃの幅方向の一側端部には、この一側端部から幅方向に突出する凸部５２ｄが設けられている。
【０００６】
そして、絶縁基板５３への枠体５１の取付は、取付脚５２ｃの貫通孔５３ａへの挿入初期時にあっては挿入を容易にするために貫通孔５３ａに対してクリアランスを持って挿入され、次に、取付脚５２ｃを貫通孔５３ａ内に押し込むと、図１３に示すように、取付脚５２ｃは、幅方向である矢印Ａ方向にバネ性が無く、従って、凸部５２ｄによって貫通孔５３ａの内壁が削られると共に、凸部５２ｄが貫通孔５３ａの内壁に係止して、取付脚５２ｃは、幅方向にガタツキの無い構成となっている。
【特許文献１】特開２００６−２７８９６２号公報
【発明の開示】
【発明が解決しようとする課題】
【０００７】
しかし、前者の従来の電子回路ユニットにあっては、取付脚５２ｃが貫通孔５３ａに挿入された際、取付脚５２ａの幅方向の両端部と貫通孔５３ａの内壁との間には、クリアランス（隙間）Ｓがあり、このため、取付脚５２ｃは、貫通孔５３ａ内のクリアランス（隙間）Ｓの範囲でガタツキを生じ、リフローによる半田付けにおいて、枠体５１と絶縁基板５３との間の取付位置にバラツキが生じるという問題がある。
【０００８】
また、後者の従来の電子回路ユニットにあっては、取付脚５２ｃの挿入初期時において、取付脚５２ｃと貫通孔５３ａの内壁との間にはクリアランスがあるが、このクリアランスは、貫通孔５３ａ内に凸部５２ｄを押し込んだ際に、凸部５２ｄによって貫通孔５３ａの内壁が削られて、凸部５２ｄが貫通孔５３ａの内壁に係止して、取付脚５２ｃの幅方向のガタツキが無くなる。
【０００９】
しかし、取付脚５２ｃは、幅方向である矢印Ａ方向にバネ性が無く、従って、凸部５２ｄによって貫通孔５３ａの内壁が凸部５２ｄの押し込み方向（貫通孔５３ａの中心線と平行）に直線状に削られるため、枠体５１の押し込み方向と逆方向への支持が弱くなって、枠体５１と絶縁基板５３との間の仮止めが弱くなるという問題がある。
【００１０】
本発明は、このような従来技術の実情に鑑みてなされたもので、その目的は、枠体と絶縁基板との間の仮止めが強固であると共に、両者間の取付精度の良好な電子回路ユニットを提供することにある。
【課題を解決するための手段】
【００１１】
上記の目的を達成するために、本発明の電子回路ユニットは、金属板からなり、四方を囲むように配置された側壁、及びこの側壁の開放端側から突出する取付脚とを有する箱形の枠体と、取付脚を挿入して枠体を取り付けるための貫通孔を有する絶縁基板とを備え、取付脚は、根本部から先端部が側壁よりも外方、或いは内方に位置するように傾斜した傾斜部を有すると共に、根本部は、貫通孔の中心線からずれた位置に配置され、傾斜部を貫通孔に挿入し、傾斜部を貫通孔の縁に当接した状態で枠体を絶縁基板側に押し込むことにより、傾斜部を貫通孔の軸心に対して斜め方向に移動させることによって、傾斜部の一部を貫通孔の内壁に食い込ませたことを特徴としている。
【００１２】
このように構成した本発明は、傾斜部を貫通孔に挿入し、傾斜部を貫通孔の縁に当接した状態で枠体を絶縁基板側に押し込むことにより、傾斜部を貫通孔の軸心に対して斜め方向に移動させることによって、傾斜部の一部を貫通孔の内壁に食い込ませたため、傾斜部の一部が貫通孔に対して斜め状態で食い込み（掛かり止め）して、枠体の上方への抜け防止が確実にできて、枠体と絶縁基板との間の仮止めが強固であると共に、枠体と絶縁基板との間のガタツキが無く、従って、リフローによる半田付けにおいても、枠体と絶縁基板との間の取付精度の良好なものが得られる。
【００１３】
また、本発明の電子回路ユニットは、上記発明において、取付脚が互いに対向する側壁にそれぞれ設けられたことを特徴としている。
【００１４】
このように構成した本発明は、枠体の押し込みによって互いに対向する側壁が取付脚によって支持されて、枠体の支持の良好なものが得られる。
【００１５】
また、本発明の電子回路ユニットは、上記発明において、取付脚の傾斜部は、直線状、或いは延びる方向に沿って湾曲したカール状で形成したことを特徴としている。
【００１６】
このように構成した本発明は、傾斜部を直線状、或いはカール状にすることによって、その形状が簡単で、貫通孔の内壁への食い込みの良好なものが得られる。
【００１７】
また、本発明の電子回路ユニットは、上記発明において、取付脚の先端部側が貫通孔の内壁に食い込むようにしたことを特徴としている。
【００１８】
このように構成した本発明は、取付脚の先端部側が貫通孔の内壁に食い込むため、貫通孔の内壁への取付脚の食い込み（掛かり止め）が良好となって、貫通孔からの取付脚の抜け防止を確実にできる。
【００１９】
また、本発明の電子回路ユニットは、上記発明において、取付脚の幅方向の一方の側端部には、この一側端部から幅方向に突出する凸部が設けられ、この凸部が貫通孔の内壁に食い込むようにしたことを特徴としている。
【００２０】
このように構成した本発明は、凸部が貫通孔に対して斜め方向に内壁に食い込むようにしたため、貫通孔の内壁への取付脚の食い込み（掛かり止め）が良好となって、貫通孔からの取付脚の抜け防止を確実にできる。
【発明の効果】
【００２１】
本発明の電子回路ユニットは、傾斜部を貫通孔に挿入し、傾斜部を貫通孔の縁に当接した状態で枠体を絶縁基板側に押し込むことにより、傾斜部を貫通孔の軸心に対して斜め方向に移動させることによって、傾斜部の一部を貫通孔の内壁に食い込ませたため、傾斜部の一部が貫通孔に対して斜め状態で食い込み（掛かり止め）して、枠体の上方への抜け防止が確実にできて、枠体と絶縁基板との間の仮止めが強固であると共に、枠体と絶縁基板との間のガタツキが無く、従って、リフローによる半田付けにおいても、枠体と絶縁基板との間の取付精度の良好なものが得られる。
【発明を実施するための最良の形態】
【００２２】
発明の実施の形態について図面を参照して説明すると、図１〜図７は本発明の第１実施形態の電子回路ユニットを示し、図１は分解斜視図、図２は枠体と絶縁基板の取付状態を示す図１のＥ−Ｅ線での拡大断面図、図３は取付脚と貫通孔との間の取付状態を示すために貫通孔を下面から見た拡大下面図、図４は貫通孔に取付脚を挿入する状態を示す平面図、図５は貫通孔に取付脚を挿入する状態を示す断面図、図６は貫通孔に取付脚を挿入する状態を示す説明図、図７は貫通孔に取付脚を挿入する状態を示す要部の拡大断面図である。
【００２３】
また、図８，図９は本発明の第２実施形態の電子回路ユニットを示し、図８は要部拡大斜視図、図９は取付脚と貫通孔との間の取付状態を示すために貫通孔を下面から見た拡大下面図である。
【００２４】
次に、本発明の第１実施形態の電子回路ユニットに係る構成を図１〜図７に基づいて説明すると、金属板からなる箱形の枠体１は、四角形状の上面壁２と、この上面壁２の４辺から下方に突出し、四方を囲むように配置された４つの側壁３と、側壁３の開放端側（開放下端部３ａ）から傾斜した状態で下方に突出する複数の取付脚４とを有する。
【００２５】
この取付脚４は、互いに対向して配置された側壁３の下部に繋がった根本部４ａと、先端部４ｂが側壁３よりも外方に位置するように根本部４ａから先端部４ｂ間に形成された直線状の傾斜部４ｃとを有する。
【００２６】
四角形状の絶縁基板５は、取付脚４に対応した位置に設けられた複数の貫通孔５ａを有し、この貫通孔５ａは、図４〜図７に示すように、取付脚４の根本部４ａから貫通孔５ａの中心線が外方（絶縁基板５の外方側）にずれた状態で形成されている。
【００２７】
この絶縁基板５には、ここでは図示しない配線パターンが設けられると共に、種々の電子部品６が搭載されて、所望の電気回路が形成されており、また、絶縁基板５に設けられた貫通孔５ａの内壁には、ここでは図示しないが、接続導体が設けられ、この接続導体は、配線パターンに接続されている。
【００２８】
そして、図４〜図７に示すように、絶縁基板５への枠体１の取付は、電子部品６を枠体１で覆った状態で、取付脚４を貫通孔５ａに挿入すると、挿入初期時において、傾斜部４ｃの挿入を容易にするために傾斜部４ｃと貫通孔５ａとの間にクリアランスを持って挿入される。
【００２９】
次に、図５〜図７に示すように、枠体１を絶縁基板５側（矢印Ｂ方向）に押し込むと、根本部４ａよりも貫通孔５ａの中心線が外方にずれた位置に形成されているため、根本部４ａが貫通孔５ａの中心線からずれた状態で、外側に傾斜した傾斜部４ｃの先端部側４ｂが貫通孔５ａの上縁５ｂの内方側（絶縁基板５の中央側寄り）に当接する。
【００３０】
次に、枠体１が矢印Ｂ方向に押し込まれた際、図６のベクトル図で示すように、押し込まれた力（矢印Ｂ方向の力）は、上縁５ｂの位置で分力（矢印Ｃ、Ｄ方向の力）が発生し、このため、矢印Ｃ方向の力によって傾斜部４ｃが上縁５ｂ上を擦りながら貫通孔５ａの軸心に対して斜め方向に貫通孔５ａ内に押し込まれる。
【００３１】
そして、側壁３の開放下端部３ａが絶縁基板５の上面にぶつかるまで押し込まれると、図２，図３に示すように、取付脚４の傾斜部４ｃは、貫通孔５ａ内で傾斜し、先端部側４ｂの幅方向の２カ所（Ｚ位置）が貫通孔５ａの内壁５ｃに食い込んだ状態となる。
【００３２】
即ち、図２に示すように枠体１の取付脚４が斜め状態で絶縁基板５に取り付けられた際、取付脚４は、傾斜部４ｃの根本部４ａが上縁５ｂに当接した状態で、斜め状態にある傾斜部４ｃの先端部側４ｂが内壁５ｃに食い込むため、枠体１の上方への動きは、斜め状態にある傾斜部４ｃの内壁５ｃへの食い込み（支持）によって阻止されて、枠体１が絶縁基板５にガタツクこと無く仮止めされた状態となる。
【００３３】
また、絶縁基板５への枠体１の仮止めは、図５に示すように、互いに対向する側壁３に設けられた取付脚４が互いに反対方向（外側方向）で矢印Ｃ方向に移動して内壁５ｃに食い込むため、枠体１の上方への移動が確実に阻止されるようになる。
【００３４】
次に、仮止めされた枠体１と絶縁基板５がリフロー炉に搬送されて、取付脚４が貫通孔５ａ内の接続導体に半田付けされると、枠体１と絶縁基板５の取付が完了して、本発明の電子回路ユニットが形成される。
【００３５】
図８，図９は本発明の第２実施形態の電子回路ユニットを示し、この第２実施形態の構成について説明すると、取付脚４の幅方向の一方の側端部には、この一側端部から幅方向に突出する凸部４ｄが設けられ、この凸部４ｄが貫通孔５ａの軸心に対して斜め方向に内壁５ｃに食い込むようにしたものである。
【００３６】
そして、このような構成にすると、貫通孔５ａ内に斜め状態で押し込められた取付脚４の傾斜部４ｃは、凸部４ｄが斜め状態で内壁５ｃに食い込み、且つ、先端部側５ｂの２カ所（Ｚ位置）での食い込みによって、絶縁基板５への枠体１の仮止めを強固にできる。
【００３７】
その他の構成は、前記第１実施形態と同様の構成を有し、同一部品には同一番号を付し、ここではその説明を省略する。
【００３８】
なお、取付脚４の形状は、上記以外の形状に種々変更しても良いこと勿論であると共に、傾斜部４ｃに設けた凸部４ｄのみを内壁５ｃに食い込ませるようにしても良い。
【００３９】
また、第１，第２実施形態では、取付脚４の傾斜部４ｃが外方（側壁３よりも）側に傾斜したもので説明したが、傾斜部４ｃが側壁３の内方（側壁３よりも）側に傾斜したものでも良く、この場合、貫通孔５ａの中心線は、取付脚４の根本部４ａから内方（絶縁基板５の中心部側）にずれた状態で形成されたものとなっており、更に、傾斜部４ｃは、延びる方向に沿って湾曲したカール状のものでも良い。
【図面の簡単な説明】
【００４０】
【図１】本発明の第１実施形態の電子回路ユニットに係る分解斜視図である。
【図２】本発明の第１実施形態の電子回路ユニットに係り、枠体と絶縁基板の取付状態を示す図１のＥ−Ｅ線での拡大断面図である。
【図３】本発明の第１実施形態の電子回路ユニットに係り、取付脚と貫通孔との間の取付状態を示すために貫通孔を下面から見た拡大下面図である。
【図４】本発明の第１実施形態の電子回路ユニットに係り、貫通孔に取付脚を挿入する状態を示す平面図である。
【図５】本発明の第１実施形態の電子回路ユニットに係り、貫通孔に取付脚を挿入する状態を示す断面図である。
【図６】本発明の第１実施形態の電子回路ユニットに係り、貫通孔に取付脚を挿入する状態を示す説明図である。
【図７】本発明の第１実施形態の電子回路ユニットに係り、貫通孔に取付脚を挿入する状態を示す要部の拡大断面図である。
【図８】本発明の第２実施形態の電子回路ユニットに係る要部拡大斜視図である。
【図９】本発明の第２実施形態の電子回路ユニットに係り、取付脚と貫通孔との間の取付状態を示すために貫通孔を下面から見た拡大下面図である。
【図１０】従来の電子回路ユニットの分解斜視図である。
【図１１】従来の電子回路ユニットに係り、取付脚と貫通孔との関係を示す説明図である。
【図１２】従来の電子回路ユニットに係る枠体の要部の斜視図である。
【図１３】従来の電子回路ユニットの係り、枠体と絶縁基板の取付状態を示す要部断面図である。
【符号の説明】
【００４１】
１  枠体
２  上面壁
３  側壁
３ａ  開放下端部
４  取付脚
４ａ  根本部
４ｂ  先端部側
４ｃ  傾斜部
４ｄ  凸部
５  絶縁基板
５ａ  貫通孔
５ｂ  上縁
５ｃ  内壁
６  電子部品
【図１】
2008226977.tif 000003
【図２】
2008226977.tif 000004
【図３】
2008226977.tif 000005
【図４】
2008226977.tif 000006
【図５】
2008226977.tif 000007
【図６】
2008226977.tif 000008
【図７】
2008226977.tif 000009
【図８】
2008226977.tif 000010
【図９】
2008226977.tif 000011
【図１０】
2008226977.tif 000012
【図１１】
2008226977.tif 000013
【図１２】
2008226977.tif 000014
【図１３】
2008226977.tif 000015